(57)【要約】【課題】  石油やガソリンなどの油類の燃焼効率を良くする手段として、油類に特異な波動を照射して油を分子単位で切り離して油分子と酸素分子を結合しやすくした燃料用波動発生共鳴器である。【解決手段】  銀箔、絶縁シート、銅箔、絶縁シート、アルミ箔の順に積層し貼り合わして波動コンデンサーとすると、銀、銅、アルミのもつイオン化傾向の違いによる電位差から発生する波動と、低周波発信器から発信し、油類の固有波動に共鳴する低周波信号のリード線を回転モータや振動モータのリード線に巻き付けることにより構成された燃料用波動発生共鳴器より発生する波動を油類に照射して油類の物性を変化させるものである。【選択図】  図４
0003171373.tif 000002
【実用新案登録請求の範囲】
【請求項１】
銀箔２、絶縁シート５、銅箔３、絶縁シート５、アルミ箔４の順に積層して貼り合わせた波動コンデンサー１のチップを数個埋め込んだ回転円盤９と、回転円盤９の回転モータ１０の＋、−リード線６，７に低周波発信器１３から発信する特定の周波数の＋、−の低周波信号リード線８をコイル状に巻きつけて、低周波信号を油類から発する固有の波動に共鳴するような波動に調整し、油類の特性が変わるようにした燃料用波動発生共鳴器。
【請求項２】
銀箔２、絶縁シート５、銅箔３、絶縁シート５、アルミ箔４の順に積層して貼り合わせた波動コンデンサー１を板状として台１１の上面に並列に設置し、台１１の下方に振動モータ１２を取り付け、振動モータ１２の＋、−のリード線のそれぞれに低周波発信器１３から発信する特定の低周波の＋、−の低周波信号リード線８をコイル状に巻きつけて、低周波信号を油類から発する固有の波動に共鳴するような波動に調整し、油類の特性が変わるようにした燃料用波動発生共鳴器。
【考案の詳細な説明】
【技術分野】
【０００１】
本考案は、石油や植物油などの油類（燃料）に波動を照射して燃焼効率を向上させるための燃料用波動発生共鳴器に関するものである。
【背景技術】
【０００２】
重油、軽油、ガソリンなどの油類は燃焼効率が悪いと二酸化炭素や二酸化窒素などの有害物質を排出して公害の原因となっていた。また、石油の値上がりと共に経費節減の必要に迫らされて、石油を有効に使用しょうとすることから、燃焼効率の向上が叫ばれるようになってきている。
【０００３】
従来、重油、軽油、ガソリンなどの油類の燃焼効率を上げる手段として、電磁波や超音波を油類に作用させて、油の分子運動を活発にしたり、油分子の繋がりを切り離したりして油分子が酸素分子と結合し易くして、油の完全燃焼を計り燃料効率を向上させる技術や、有害物質の排出を無くする技術はある。
【０００４】
しかし、電磁波によるものはタンクや管路の周辺に電磁波を発生させるコイルなどの装置を取り付けなければならないし、また、超音波によるものは振動子を燃料中に入れなければならないように、燃料タンクや配管と装置を切り離すことができない問題点があった。
【先行技術文献】
【特許文献】
【０００５】
【特許文献１】特開２００３−２２７４２２号
【非特許文献】
【０００６】
【非特許文献１】なし
【考案の概要】
【考案が解決しようとする課題】
【０００７】
本考案は上記問題点を解消するために、燃料タンクや配管と切り離して使用できる波動発生共鳴器から放射する波動によって油分子の分子運動を活発化させ、塊状の油の油分子間の繋がりを分子単位に切り離した油とし、油分子と酸素分子が結合し易くして油類の燃料の燃焼効率を向上させるものを提供することを目的としている。
【課題を解決するための手段】
【０００８】
上記目的を達成するために、本考案は固有電位の異なる金属箔または金属薄板を絶縁体を挟んで積層して貼り合わせコンデンサー状に成型すると、夫々の金属箔は固有の電位が異なるゆえに特異な電磁波を放射するようになる。これを回転、または振動させると上方に電磁波が、Ｘ線と同様に全面のあらゆるものを通過して１ｍくらい放射する。この特異な波動に、低周波発信器からの波動を油類の固有波動に共鳴するような低周波信号に調整し、モータのリード線に巻きつけたコイルから発信して油類に投射するようにしたものである。
【０００９】
また、波動コンデンサーから放射する波動を回転させたり、振動させたりすることで、波動は回転や振動によって発生する波と干渉し合い、重なり合ってより強力な波動となる。波動コンデンサーから放射する波動を油類に照射して燃焼効率を向上させることを目的とした燃料用波動発生共鳴器を提供するものである。
【考案の効果】
【００１０】
本考案は以下に記載されたような効果を奏する。
本考案の燃料用波動発生共鳴器は波動が遠距離に効果を発揮するとともに、Ｘ線のように、物体を通過する特性があるため、燃料タンクやパイプに直接取り付けなくても、自動車の場合、後部座席の下部５０ｃｍ位の所に燃料タンクがあるので、本器を後部座席の上に置くだけで燃料の燃焼効率を向上させることができる。
また、油類を完全燃焼させるので、燃焼時に発生する有害ガスを著しく低下させることができる。
【図面の簡単な説明】
【００１１】
【図１】波動コンデンサーの構造を示した断面図である。
【図２】回転円盤による燃料用波動発生共鳴器を示した斜視図である。
【図３】矩形状波動コンデンサーを台の上に並べた状態を示した斜視図である。
【図４】振動による燃料用波動発生共鳴器を示した断面図である。
【考案を実施するための形態】
【実施例】
【００１２】
図１に示すように、銀箔２、絶縁シート５、銅箔３、絶縁シート５、アルミ箔４の順に積層すると、銀、銅、アルミはイオン化傾向が異なることから夫々異なる電位差を持つ、そこで銀箔２、銅箔３、アルミ箔４を絶縁シート５を挟んで貼り合わせて波動コンデンサー１とした。
【００１３】
図２に示すように、波動コンデンサー１を円形に打ち抜いてチップ状にしたものを回転円盤９に埋め込み、回転円盤９を回転モータ１０によって回転させると、回転円盤９上の波動コンデンサー１より波動が回転波に乗って広範囲に放射する。
【００１４】
また、回転モータ１０に電気を送る＋（プラス）、−（マイナス）のリード線の夫々に合わせて低周波信号リード線８の＋、−をコイル状に巻きつけ、低周波信号リード線８の＋、−のそれぞれを低周波発信器１３の＋、−に合わせて繋げた燃料用波動発生共鳴器である。
【００１５】
回転モータ１０および低周波信号リード線８に電流を流すと、回転円盤９の波動コンデンサー１から放射される波動と油類の振動に共鳴する信号を発信する低周波発信器１３から送られてくる信号とが重なり合い共鳴して、強力な波動となって燃料用波動発生共鳴器から放射する。
【００１６】
図３に示すように、板状の波動コンデンサー１を台１１の上に並列に設置する。
【００１７】
図４に示すように、板状の波動コンデンサー１のイオン化傾向の高い銀箔２に＋リード線６を、イオン化傾向の低いアルミ箔４に−リード線７を繋いで、＋リード線６と−リード線７の周囲に低周波信号リード線８の＋、−のそれぞれをコイル状に巻きつける。
【００１８】
台１１の下に振動モータ１２を取り付けて、振動モータ１２を回転させるための電源に繋がる＋、−リード線６，７の夫々の周囲に低周波信号リード線８の＋、−のそれぞれをコイル状に巻きつける。低周波信号リード線８は油類の固有振動に共鳴する波動を送る低周波発信器１３に繋げた燃料用波動発生共鳴器の構成である。
【００１９】
上記構成から、波動コンデンサー１の銀箔２とアルミ箔４のリード線に３〜５ボルトの電圧を付加し、かつ、振動モータ１２を回転させると、波動は波動コンデンサー１から放射される波動と、低周波発信器１３から送られてくる信号とが重なり合い共鳴して強力な波動となり燃料用波動発生共鳴器から放射する。
【００２０】
燃料用波動発生共鳴器からの波動を照射した燃料を使用すると、燃焼効率が飛躍的に向上した。発電機での実験で、市販のガソリンと燃料用波動発生共鳴器からの波動を注入したガソリンとを比較すると、２．７リッターのガソリンでは市販のガソリンは発電機作動時間は２時間２９分で発生電力量１，０３５Ｗであったのに対して、波動を注入したガソリンは発電機作動時間は２時間５８分で発生電力量１，２３５Ｗとなり、波動を注入したガソリンが約２割程度の燃焼効率アップとなった。
【産業上の利用可能性】
【００２１】
石油燃料価格の値上がりが産業活動を圧迫しているが、本考案の燃料用波動発生共鳴器を利用すれば、例えば自動車の燃費が良くなるなど、エネルギー効率が良くなることから、自動車産業、発電産業などの油燃料を使用してエネルギーを取り出す産業の活動を活発化させる可能性が大きい。
【符号の説明】
【００２２】
１    波動コンデンサー
２    銀箔
３    銅箔
４    アルミ箔
５    絶縁シート
６    ＋（プラス）リード線
７    −（マイナス）リード線
８    低周波信号リード線
９    回転円盤
１０  回転モータ
１１  台
１２  振動モータ
１３  低周波発信器
【図１】
0003171373.tif 000003
【図２】
0003171373.tif 000004
【図３】
0003171373.tif 000005
【図４】
0003171373.tif 000006